(57)【特許請求の範囲】
【請求項１】
固定する第１ブラケットと、下縁に歯を有するセクターギヤを設けた第２ブラケットが、第１ブラケットと補強ブラケットに固定された段付き軸によって互いに回転可能に連結され、また前記セクターギヤの歯と噛合う歯を有するロックギヤを第１ブラケットに回転可能に軸支され、更にロックギヤは第１ブラケットに軸支された作動板によって揺動回転されてロックギヤの歯とセクターギヤの歯とが噛合或いは噛合を解除されるように構成されたリクライニングにおいて、前記作動板は、先端側に前記段付き軸に嵌まって移動した時に逃すための長溝を設けると共にピンを設けた連結リンクの一端を連結させ、更に前記ピンを遊嵌する弧状の横方向に長孔と縦長手方向に、前記段付きピンからのピンと、第２ブラケットからのピンを嵌めて案内する案内孔を設けた操作板を第１、第２ブラケットに沿って配し、操作板の移動で連結リングを介して作動板に揺動回転をあたえることを特徴としたリクライニングアジャスター。
【発明の詳細な説明】
【０００１】
【発明の属する技術分野】
本発明は、シートバックの傾斜角度を、操作レバーを遠隔操作によってリンクを介して調整できるようにしたリクライニングアジャスターに関するものである。
【０００２】
【従来の技術】
固定する第１ブラケットと、第２ブラケットが軸により回転可能に連結され、第２ブラケットには歯部を設けたセクターギヤを有して、また、このセクターギヤの歯部と噛合う歯部を有したロックギヤが第１ブラケットに回動可能に軸支され、このロックギヤを、係離動作させるための回動可能なカムを配置し、このカムを動かすための一端を軸支した操作レバーに揺動動作をあたえてロックギヤとセクターギヤの夫々の歯部の係離動作でリクライニングの調整を行うようにしていたものが一般に用いられている。
【０００３】
【発明が解決しようとする課題】
前記リクライニングアジャスターは、角度を調整する際、操作レバーがリクライニングのヒンジ部分に比較的近い位置にあるため、例えば、後部座席などヒンジ部分のスペースが狭く、直接レバーを設置することが不可能な場合、リクライニングを設けることができない問題点があった。
【０００４】
【課題を解決するための手段】
本発明は斯様な実情に鑑み、前記課題に対処するため、固定する第１ブラケット１と、下縁に歯を有するセクターギヤを設けた第２ブラケット２が、第１ブラケットと補強ブラケットに固定された段付き軸によって互いに回転可能に連結され、また前記セクターギヤの歯と噛合う歯を有するロックギヤを第１ブラケットに回転可能に軸支され、更にロックギヤは第１ブラケットに軸支された作動板によって揺動回転されてロックギヤの歯とセクターギヤの歯とが噛合或いは噛合を解除されるように構成されたリクライニングにおいて、前記作動板は、先端側に前記段付き軸に嵌まって移動した時に逃すための長溝を設けると共にピンを設けた連結リンクの一端を連結させ、更に前記ピンを遊嵌する弧状の横方向に長孔と縦長手方向に、前記段付きピンからのピンと、第２ブラケットからのピンを嵌めて案内する案内孔を設けた操作板を第１、第２ブラケットに沿って配し、操作板の移動で連結リングを介して作動板に揺動回転をあたえるようにしたリクライニングアジャスターを提供するものである。
【０００５】
【発明の実施の形態】
本発明のリクライニングアジャスターの最も好ましい一実施例を図面に基いて具体的に説明する。
【０００６】
１は床面に取付ける固定する第１ブラケットで、この第１ブラケット１の上部に、シートバック側を取付ける第２ブラケット２の下部側を、第１ブラケット１と補強ブラケット４に固定された段付き軸３によって同ブラケット１及び２の間で回動可能に軸支されて連結されている。
【０００７】
また第２ブラケット２の下縁には、前記段付き軸３を半径として外周にセクターギヤ２ａの歯部ａを設けてある。
【０００８】
更に、前記セクターギヤ２ａの歯部ａは、第１ブラケット１と、補強ブラケット４に夫々固定された軸５によって一端を軸支されたロックギヤ６の歯ｂと係離できるようにして設けてある。
【０００９】
ロックギヤ６の他端側にはピン６ａを取付け、このピン６ａは後記カム体７と一体の作動板８に穿ったカム孔８ａに遊嵌させて、作動板８の揺動動作でカム孔８ａに遊嵌された前記ピン６ａを介してロックギヤ６を揺動してセクターギヤ２ａの歯部ａとロックギヤ６の歯ｂの係脱を行わせる。
【００１０】
前記作動板８はカム体７と一体状となって重合されて、前記第１ブラケット１と補強ブラケット４に両端を固定した軸９に軸支され、作動板８の揺動動作で前記したロックギヤ６の歯ｂとセクターギヤ２ａの歯ａの係脱と、噛合時にはカム体７がロックギヤ６を噛合方向に押上げる構成としてある。
【００１１】
作動板８は一端を横方向に張出させた張出片８ｃを設けしかもこの張出片８ｃと第１ブラケット１との間に引張スプリング８ｂを設けてある。
【００１２】
１０は操作板で、この操作板１０は長手方向に案内長孔１０ａと、一端の下部側には弧状の長孔１０ｂを設けると共に、他端上部側には折曲げ片１０ｃと遠隔操作を行うワイヤーの一端を連結して設けてある。
【００１３】
また、操作板１０の前記案内長孔１０ａ内には、第２ブラケット２に一端を固定したピン１１の先端を挿嵌すると共に前記段付き軸３に設けたピン１２を嵌め、しかも前記折曲げ片とピン１１の間には引張スプリング１０ｄを設けてある。また操作板１０は前記ピン１１，１２に沿って案内されて移動可能となっている。
【００１４】
更に、前記弧状の長孔１０ｂには、先端側に逃し用の長溝１３ａを設けてこの長溝１３ａを前記段付き軸３からのピン１２に嵌め、他端を前記作動板８からの張出片８ｃに軸１３ｂによって軸支された連結リンク１３からのピン１３ｃを嵌めてある。ピン１３ｃは連結リンク１３の張出部に設けてあって、前記操作板１０の移動で、前記弧状の長孔１０ｂに嵌めたピン１３ｃを介して逃し用長溝１３ａが嵌められた段付き軸３を支点として前記連結リンク１３に揺動運動をあたえる（この場合段付き軸３は逃し用長溝１３ａによって逃げられるようになっている）。従って、この揺動運動で、連結リンク１３に連結された作動板８の回転でこの作動板８と一体に動作するカム体７は回動しロックギヤ６の押上げを解除すると共に、カム孔８ａに遊嵌されたピン６ａを介してロックギヤ６を軸５を中心に揺動してセクターギヤ２ａの歯ａと、ロックギヤ６の歯ｂとの噛合を解除して第２ブラケット２を自由状態にして角度を調整できるようにする。
【００１５】
【発明の効果】
本発明は、上述のように操作板が第１ブラケットと第２ブラケットに層縦方向に配装されると共に操作板の操作は遠隔操作を可能にしてあるため、従来のレバーを設置することが不可能な狭いスペースでもリクライニングを設けて角度の調整をすることができる効果がある。
【図面の簡単な説明】
【図１】本発明によるリクライニングアジャスターの一実施例を示す側面図ある。
【図２】図１の縦断背面図である。
【符号の説明】
１              第１ブラケット
２              第２ブラケット
２ａ            セクターギヤ
３              段付き軸
４              補強ブラケット
５，９，１３ｂ  軸
６              ロックギヤ
６ａ，１１，１２，１３ｃ    ピン
７              カム体
８              作動板
８ａ            カム孔
８ｂ，１０ｄ    引張スプリング
８ｃ            張出片
１０            操作板
１０ａ          案内長孔
１０ｂ          弧状の長孔
１０ｃ          折曲げ片
１３            連結リンク
１３ａ          逃し用長溝
ａ，ｂ          歯
【図１】
0003655707.tif 000002
【図２】
0003655707.tif 000003